(57)【要約】【課題】  現場の配管形態が床配管式，天井配管式のどちらでも取り付け可能である水栓器具を提供する。【解決手段】  壁板Ａの裏側に固定部材３０を介して固定され、壁板Ａの裏側に配設された水配管４８，湯配管４９が接続される本体２と、各配管４８，４９により供給された水，湯を吐水する吐水管２３と、該吐水管２３から吐水される水，湯の流量を調節するハンドル１９，１９とを備えた水栓器具１において、前記本体２は水配管４８，湯配管４９が接続される各管接続部１２，１２が垂直方向に形成され、正面部に吐水管２３と各ハンドル１９，１９とを装着するようにした。【選択図】  図３
2005200918.tif 000002
【特許請求の範囲】
【請求項１】
壁板の裏側に固定部材を介して固定され、壁板の裏側に配設された水配管，湯配管が接続される本体と、各配管により供給された水，湯を吐水する吐水管と、該吐水管から吐水される水，湯の流量を調節するハンドルとを備えた水栓器具において、前記本体は水配管，湯配管が接続される各管接続部が垂直方向に形成され、正面部に吐水管と各ハンドルとを装着するようにしたことを特徴とする水栓器具。
【請求項２】
前記本体の正面部は中央に吐水管を、該吐水管の左右両側に各ハンドルを装着するようにしたことを特徴とする請求項１記載の水栓器具。
【発明の詳細な説明】
【技術分野】
【０００１】
本発明は、洗濯機等の機器へ水を供給することのできる水栓器具に関するものである。
【背景技術】
【０００２】
従来、洗濯機等の機器へ水を供給することのできる水栓器具は、壁板の表側に突出した状態で取り付けられるため、例えば、洗濯機の上方に乾燥機等を設置する場合には水栓器具が邪魔になり、乾燥機等を壁板に接近させて取り付けることができず、室内空間の有効利用が図れなかった。そこで近年、壁板からの突出量を少なく、若しくは、無くすることで、取付位置の制約を受けることなく室内空間の有効活用を目的とした水栓器具が登場し、このような水栓器具として公知のものに特許文献１のものがある。
【０００３】
この特許文献１では、水栓器具は、床板の裏面側に配設された水道配管が接続される水栓胴体と、水道配管からの水を吐出する吐水口と、該吐水口から吐出される吐出水量を調節するハンドルとから構成されている。この水栓器具は、一面が開口されて開口部が形成された略立方体形状をなすケーシング体内の所定位置に固定されている。
【０００４】
【特許文献１】特開２０００−１２９７３６号公報
【０００５】
しかしながら、水栓器具が取り付けられる現場の配管形態は、配管が床から天井に向けて配設されている床配管式と、天井から床に向けて配設されている天井配管式とがあり、水栓器具は両方の配管形態に対応することは想定されておらず、何れか一方の配管形態にしか対応していない。従って、施工業者は、床配管式用の水栓器具と、天井配管式用の水栓器具との２種類を用意する必要があり、常に必要以上の水栓器具及び部品を所持して施工現場へ向かわなければならなかった。また、水栓器具は配管形態に合わせて複数種類製造しなけらばならず、製造コストが高くなってしまうものであった。
【発明の開示】
【発明が解決しようとする課題】
【０００６】
本発明は、このような従来の技術に存在する問題点に着目してなされたものであり、その目的は、現場の配管形態が床配管式，天井配管式のどちらでも取り付け可能である水栓器具を提供することにある。
【課題を解決するための手段】
【０００７】
請求項１に記載の発明では、壁板の裏側に固定部材を介して固定され、壁板の裏側に配設された水配管，湯配管が接続される本体と、各配管により供給された水，湯を吐水する吐水管と、該吐水管から吐水される水，湯の流量を調節するハンドルとを備えた水栓器具において、前記本体は水配管，湯配管が接続される各管接続部が垂直方向に形成され、正面部に吐水管と各ハンドルとを装着するようにしたものである。
【０００８】
請求項２に記載の発明では、前記本体の正面部は中央に吐水管を、該吐水管の左右両側に各ハンドルを装着するようにしたものである。
【発明の効果】
【０００９】
本発明の請求項１記載の水栓器具によると、現場の配管形態が床配管式，天井配管式のどちらであっても、本体を上下に１８０°回転させれば水配管，湯配管に接続して使用することができ、必要以上に水栓器具を用意する必要がない。また、配管形態に関わらず水栓器具の本体が共通化できるので、本体の製造コストを低減させることができる。さらに、現場の管形態が分からないまま施工現場に水栓器具が納入されても、工事に支障をきたすことがない。
【００１０】
請求項２では請求項１記載の水栓器具において、本体の正面部は中央に吐水管を、該吐水管の左右両側に各ハンドルを装着するようにしたので、配管形態が床配管式，天井配管式のどちらであっても吐水管と各ハンドルとの位置は同一となり、操作に戸惑うことがない。
【００１１】
以下、本発明の実施例を図に基づいて詳細に説明する。
【実施例１】
【００１２】
図１は本発明の水栓器具１と、この水栓器具１に対し水と湯とを供給するための配管４６との構成を示す全体図であり、水栓器具１は屋内又は屋外に立設された壁板Ａに固定部材３０を介して壁板Ａの裏側に固定されている。また、配管４６は分岐管４７により水配管４８と湯配管４９とに分岐し、水配管４８は水栓器具１に接続され、湯配管４９は給湯器５０を経て水栓器具１に接続されており、この給湯器５０により水は高温の湯となるように加熱されるものである。
【００１３】
図２乃至図５は本発明の水栓器具１の構成を示す図である。水栓器具１の本体２は横長に形成されたものであり、その左右両端には水平方向の同一軸線上に開口部３が形成されている。開口部３は円筒形状で、その正面側の外周には雄ねじ４が形成されており、該雄ねじ４の基端には開口部３より大径の鍔部５が形成されている。また、開口部３の内周には室８が形成されており、該室８は隔壁９により１次室１３と２次室１４とに区画され、この隔壁９に穿設された弁口１０により１次室１３と２次室１４とは連通している。なお、雄ねじ４と反対側の端部近傍には突出部６が形成されており、該突出部６には通孔７がそれぞれ形成されている。
【００１４】
前記１次室１３は、２次室１４に対して垂直方向に形成されており、２次室１４と反対側の端部には水配管４８，湯配管４９を接続するための管接続部１２が垂直方向に形成されている。なお、一方の管接続部１２には水配管４８が、他方の管接続部１２には湯配管４９がそれぞれ接続されており、各１次室１３，１３に水，湯がそれぞれ供給される。
【００１５】
前記２次室１４には水，湯の流量を調節する弁機構１５が収容されており、該弁機構１５は弁口１０の外周に環状に形成された弁座１１に対し接離自在で、弁口１０を開閉する第１弁体１７を備えたスピンドル１６と、該スピンドル１６を挿通して開口部３内周に螺着して固定されるプラグ１８と、スピンドル１６の先端に結合されるハンドル１９とを備え、該ハンドル１９は本体２の正面部に装着され、ハンドル１９を回転操作することで第１弁体１７は弁座１１に接離し、１次室１３の水，湯を２次室１４へ供給したり止水するものである。
【００１６】
前記本体２の正面部で中央には前記開口部３と水平方向の同一軸線上になるように吐水口部２０が形成されている。該吐水口部２０は円筒形状で、外周には雄ねじ２１が形成されている。また、吐水口部２０の内周には吐水室２２が形成されており、該吐水室２２と前記１次室１３とは２次室１４を介して連通している。そして、弁機構１５により１次室１３と吐水室２２とが連通すると、水，湯は吐水室２２から外部へ供給されるものである。
【００１７】
前記吐水口部２０は、止水弁２５が装着された吐水管２３が接続されている。この止水弁２５は、吐水管２３内を上下方向に進退自在な第２弁体２６と、この第２弁体２６を付勢して吐水管２３の開口２４を水密的に閉塞するスプリング２７とからなり、吐水管２３に対しホース２８が接続されると、ホース２８の先端部が第２弁体２６をスプリング２７の付勢力に抗して上部へ移動させることで、吐水室２２からホース２８に対し水，湯の供給が可能となる。そして、ホース２８を吐水管２３から外した状態では、スプリング２７が第２弁体２６を上部から付勢して、この第２弁体２６が開口２４を水密的に閉塞することで、吐水室２２の水，湯は外部へ供給されないようにしたものである。
【００１８】
前記固定部材３０は水栓器具１を壁板Ａに固定するものであり、壁板Ａの表側に配置される固定板３１と、壁板Ａの裏側に配置されるボックス３４と、固定板３１とボックス３４とを結合するボルト４０とから構成されている。
【００１９】
前記固定板３１は薄板の長方形状で、長手方向の一端は垂直方向に折り曲げられており、壁板Ａに形成された取付孔Ｂに容易に装着可能としている。また、固定板３１には、水栓器具１の開口部３，吐水口部２０の対応する位置に開口孔３２がそれぞれ形成されており、上下左右の四隅にはねじ孔３３が形成されている。
【００２０】
前記ボックス３４は薄板の略コ字型形状で、水栓器具１の後側を覆う背面板３５と、該背面板３５の両端に形成され、水栓器具１の側面を覆う側面板３７と、該側面板３７の上下両端に形成され、背面板３７と平行方向に形成された前面板３８とから構成されており、該前面板３８にはねじ孔３９がそれぞれ形成されている。また、背面板３８の上下中央で両側面板近傍には、六角形の固定ナット３６が溶着，接着等で固定されている。
【００２１】
上記構成において、水栓器具１を壁板Ａに取り付けるには、まず、図５に示すように、本体２の突出部６の通孔７と、ボックス３４の固定ナット３６とが同一軸線上になるように配置し、止め具２９を固定ナット３６に螺着することによって本体２とボックス３４とを固定する。
【００２２】
次に、図６に示すように、本体２の各開口部３，３，吐水口部２０を固定板３１の開口孔３２に挿通させ、本体２の鍔部５を固定板３１に当接させる。そうすると、固定板３１の各ねじ孔３３と、ボックス３４の各ねじ孔３９とが同一軸線上になるように配置されるので、壁板Ａの表側からボルト４０を螺着することで、固定板３１とボックス３４とが壁板Ａを挟持し固定される。
【００２３】
この時、水配管４８，湯配管４９の配管形態が、床から天井に向けて配設されている床配管式であるか、天井から床に向けて配設されている天井配管式であるかを確認し、配管形態が床配管式であれば、図７（ａ）に示すように、本体２の管接続部１２が下側を向くように配置すればよい。また、配管形態が天井配管式であれば、図７（ｂ）に示すように、本体２の吐水口部２０を中心として、本体２が固定されたボックス３４を１８０゜回転させて管接続部１２が上側を向くように配置すればよい。
【００２４】
次に、本体２の開口部３外周に形成した雄ねじ４に締付ナット４１を螺着する。そして、固定板３１にカバー４２を取り付けた後、本体２の各開口部３にハンドル１９を、吐水口部２０に吐水管２３をそれぞれ取り付けることにより、水栓器具１の取り付けが完了する。
【００２５】
以上のように、配管の設置形態が、床から天井に向けて配設された床配管式，天井から床に向けて配設された天井配管式の何れの配管形態であっても、本体の吐水口部を中心として、本体を上下逆となるように１８０゜回転させるだけで水栓器具を壁板に取付けることができる。従って、従来のように、配管形態に合わせて本体を複数種類製造する必要がなく、本体を共通化して使用することができる。また、現場の配管形態が分からないまま施工現場に水栓器具が納入されても、工事に支障をきたすことがない。
【図面の簡単な説明】
【００２６】
【図１】本発明の水栓器具の全体図である。
【図２】水栓器具の正面図である。
【図３】図２のＸ−Ｘ線平断面図である。
【図４】図２のＹ−Ｙ線縦断面図である。
【図５】本体とボックスとの固定状態を示す説明図である。
【図６】水栓器具と固定部材との固定状態を示す説明図である。
【図７】本体を固定したボックスの取付状態の説明図であり、（ａ）は床配管式の場合の取付状態、（ｂ）は天井配管式の取付状態である。
【符号の説明】
【００２７】
１    水栓器具
２    本体
１２  管接続部
１９  ハンドル
２０  吐水口部
２３  吐水管
３０  固定部材
４８  水配管
４９  湯配管
Ａ    壁板
【図１】
2005200918.tif 000003
【図２】
2005200918.tif 000004
【図３】
2005200918.tif 000005
【図４】
2005200918.tif 000006
【図５】
2005200918.tif 000007
【図６】
2005200918.tif 000008
【図７】
2005200918.tif 000009